(57)【要約】【課題】扉が開放状態のままのときに、利用者が物品の預け入れや取り出し中であるか否かを把握して、利用者が物品の預け入れや取り出し中である場合に警報の発生を防ぐ。【解決手段】扉が開いたときに計時動作を開始させ、予め設定した設定時間が経過するまでに、扉が開放状態のままで、物品の無から有または有から無への移行、もしくは物品の有の状態の移行が検出されていない場合、利用者が物品の預け入れや取り出しを行っていない状況であると把握して、報知動作によって開放状態にある扉の閉塞を促す。一方、所定時間が経過するまでに、扉が開放状態のままで、物品の無から有または有から無への移行、もしくは物品の有の状態の移行が検出された場合、利用者が物品の預け入れや取り出しを行っている状況であると把握して、計時動作を改めて開始させることで扉の開放状態の報知動作の実行を遅らせる。【選択図】        図４
2008115561.tif 000002
【特許請求の範囲】
【請求項１】
物品を収容する収容部と、収容部の内外に通じる入出口を開閉する態様で設けた扉とを備えたロッカー装置において、
前記扉の開閉を検出する扉開閉検出手段と、
計時動作を行う計時手段と、
前記収容部内での物品の有無を検出する物品検出手段と、
報知動作を行う報知手段と、
前記扉が開いたときに計時動作を開始させ、予め設定した設定時間が経過するまでに、前記扉が開放状態のままで、物品の無から有または有から無への移行、もしくは物品の有の状態の移行が検出されていない場合に報知動作を行わせる一方、前記所定時間が経過するまでに、前記扉が開放状態のままで、物品の無から有または有から無への移行、もしくは物品の有の状態の移行が検出された場合に前記計時動作を改めて開始させる制御部と
を備えたことを特徴とするロッカー装置。
【発明の詳細な説明】
【技術分野】
【０００１】
本発明は、物品を一時的に預かるロッカー装置に関するものである。
【背景技術】
【０００２】
従来のロッカー装置として、例えば特許文献１に示されるものがある。このロッカー装置は、基本的な構成として、物品を収容する収容部と、収容部の内外に通じる入出口を開閉する態様で設けた扉とを備えている。このロッカー装置は、扉を開けたタイミングでタイマをスタートさせ、扉が開放状態のままでタイマがタイムアウトしたときに収容部内に物品があれば警報を発生させる。
【０００３】
上述した従来のロッカー装置では、扉が開放状態のままでタイマがタイムアウトしたとき収容部内に物品がある場合に警報を発生させることで、扉の閉塞を利用者に促して開放状態のまま利用者が立ち去る事態を防ぐことが可能である。
【０００４】
【特許文献１】特開２０００−２０４８１０号公報
【発明の開示】
【発明が解決しようとする課題】
【０００５】
ところで、扉が開放状態のままである状況として、利用者がロッカー装置への物品の預け入れや取り出しを完了していない状況がある。例えば、利用者がロッカー装置に預ける物品と、携帯する物品とを整理をするのに収容部に物品を出したり入れたりする場合であって、収容部内に物品が存在していることがある。従って、この状況において、従来のロッカー装置では、タイマがタイムアウトしたときに収容部内に物品があると警報を発生することから、利用者がロッカー装置への物品の預け入れや取り出しを行っている最中であるにもかかわらず扉の閉塞を催促されることになるため利用者に不快感を与えてしまう。
【０００６】
本発明は、上記実情に鑑みて、扉が開放状態のままのときに、利用者が物品の預け入れや取り出し中であるか否かを把握して、利用者が物品の預け入れや取り出し中である場合に警報の発生を防ぐことのできるロッカー装置を提供することを目的とする。
【課題を解決するための手段】
【０００７】
上記目的を解決するために、本発明の請求項１に係るロッカー装置は、物品を収容する収容部と、収容部の内外に通じる入出口を開閉する態様で設けた扉とを備えたロッカー装置において、前記扉の開閉を検出する扉開閉検出手段と、計時動作を行う計時手段と、前記収容部内での物品の有無を検出する物品検出手段と、報知動作を行う報知手段と、前記扉が開いたときに計時動作を開始させ、予め設定した設定時間が経過するまでに、前記扉が開放状態のままで、物品の無から有または有から無への移行、もしくは物品の有の状態の移行が検出されていない場合に報知動作を行わせる一方、前記所定時間が経過するまでに、前記扉が開放状態のままで、物品の無から有または有から無への移行、もしくは物品の有の状態の移行が検出された場合に前記計時動作を改めて開始させる制御部とを備えたことを特徴とする。
【発明の効果】
【０００８】
本発明のロッカー装置によれば、扉が開いたときに計時動作を開始させ、予め設定した設定時間が経過するまでに、扉が開放状態のままで、物品の無から有または有から無への移行、もしくは物品の有の状態の移行が検出されていない場合に、利用者が物品の預け入れや取り出しを行っていない状況であると把握でき、報知動作によって開放状態にある扉の閉塞を促す。一方、所定時間が経過するまでに、扉が開放状態のままで、物品の無から有または有から無への移行、もしくは物品の有の状態の移行が検出された場合に、利用者が物品の預け入れや取り出しを行っている状況であると把握でき、計時動作を改めて開始させることで扉の開放状態の報知動作の実行を遅らせる。この結果、ロッカー装置の利用中の利用者に扉の閉塞を催促することがないため利用者に不快感を与える事態を防ぐことが可能になる。
【発明を実施するための最良の形態】
【０００９】
以下に添付図面を参照して、本発明に係るロッカー装置の好適な実施の形態について詳細に説明する。
【００１０】
図１は本実施の形態におけるロッカー装置の構成例を示す正面図、図２は図１に示したロッカー部の一部構成を示す斜視図である。ロッカー装置１は、センタ装置２と、該センタ装置２の左右両側に複数配設されたロッカー部３とにより構成してある。
【００１１】
センタ装置２は、各ロッカー部３の利用状態等の管理を一括して行う集中端末装置である。図１に示すようにセンタ装置２は、その前面に、防犯用の監視カメラ２１と、物品の預け入れ／取り出しモードの設定、ロッカー部３の選択等の操作、および各種表示を行うためのタッチパネル付き液晶表示器２２と、クレジットカード等の読み取りを行うカードリーダ２３と、硬貨を投入するための硬貨投入口２４とを備える。また、図には明示しないがセンタ装置２は、通信機能を有するパソコン、ロッカー装置１全体の処理および動作を制御する制御ボックス、電力供給を行う電源部、停電時等に電力供給を行う無停電電源装置等を備え、パソコンを通じて利用者が所有する携帯電話機との間での通信も可能とされている。
【００１２】
ロッカー部３は、図１に示すようにセンタ装置２の左右に複数配置した各ロッカーユニット４に対して上下一列に複数配置してある。ロッカーユニット４は、上下、左右、背面の板体によって画成されて正面側が開口した筐体４０を有している。そして、筐体４０の内部を棚板４１によって区切ることにより個々のロッカー部３が形成される。
【００１３】
図２に示すようにロッカー部３は、物品を収容する収容部３１を有している。収容部３１の正面側には、該収容部３１の内外に通じる入出口３２が形成してある。さらに、ロッカー部３は、入出口３２を開閉する態様で設けた扉３３を有している。扉３３は、入出口３２を覆う板体からなり、例えば自身の一側縁と、筐体４０の側板の前縁とがヒンジ機構（図示せず）で連結されて、片開きで入出口３２を開閉するように構成してある。また、扉３３の開閉端となる他側の外壁面には、該扉３３を開閉操作するための取手３４が設けてある。また、扉３３の開閉端となる他側の内壁面には、係合片３５が設けてある。
【００１４】
収容部３１の内部であって、扉３３の開閉端に対向する入出口３２の内縁部分には、電子錠を構成するロック部３６が設けてある。ロック部３６は、扉３３の係合片３５と噛合可能に設けた係合部材３６１を有している。ロック部３６は、入出口３２を閉塞するように扉３３を閉めることにより係合部材３６１と係合片３５と噛合状態となって扉３３を閉成状態に維持する。一方、ロック部３６は、ソレノイド駆動等によって係合部材３６１を作動することにより該係合部材３６１と係合片３５との噛合状態が解除されて扉３３を開成可能にする。
【００１５】
また、ロック部３６を構成するケーシングには、報知手段としての表示部３７が設けてある。表示部３７は、例えば、赤色光を発光するＬＥＤ３７１と緑色光を発光するＬＥＤ３７２とを、入出口３２を介して収容部３１の外側に向けて備え、各ＬＥＤ３７１，３７２を選択的に発光させることでロッカー部３の利用状況等を報知するものである。表示部３７の動作の一例としては、ＬＥＤ３７１を発光させて赤色表示させて、ロック部３６が施錠状態（扉３３が閉成状態）であることを報知し、ＬＥＤ３７２を発光させて緑色表示させることで、ロック部３６が解錠状態（扉３３が開成可能な状態）であることを報知する。なお、表示部３７は、閉成状態の扉３３の取手３４に対応する位置に設けてある。一方、扉３３には、取手３４の取り付け位置に投光孔３３１が設けてある。さらに、取手３４は、透光性部材によって形成してある。すなわち、扉３３が閉成状態であっても投光孔３３１および取手３４を介して表示部３７の発光表示を視認することが可能である。
【００１６】
また、収容部３１には、扉３３の開閉を検出するための扉開閉検出手段３８が設けてある。図２に示すように本実施の形態における扉開閉検出手段３８は、ロック部３６を構成するケーシングに設けてあり、例えば、扉３３が開成状態のときに進出し、扉３３が閉成状態のときに該扉３３の内壁面に押されて退避する作動片３８１によってオン／オフするスイッチで構成されている。
【００１７】
また、収容部３１には、該収容部３１内の物品の有無を検出する物品検出手段３９（図３参照）が設けてある。物品検出手段３９としては、例えば、光を投受光することによって物品の有無を検出する光センサ、重量によって物品の有無を検出する重量センサ、超音波の送受信時間の変化によって物品の有無を検出する超音波センサ、画像によって物品の有無を検出する画像センサ等がある。物品検出手段３９は、前記センサの数や組み合わせによって物品の有無を検出することにより、収容部３１内の物品の無から有または有から無への移行、すなわち、収容部３１内において物品が無い状態から有る状態への移行や、物品が有る状態から無い状態への移行を検出することが可能になる。さらに物品検出手段３９は、前記センサの数や組み合わせによって物品の有無を検出することにより、物品の有の状態の移行、すなわち収容部３１内に物品が既に有る状態で、該物品が収容部３１内で移動されて他の位置で物品の有を検出した場合や、収容部３１内に物品が既に有る状態で、他の物品が収容部３１内に追加されて他の位置でも物品の有を検出した場合や、収容部３１内に複数の物品が既にある状態で、そのうちの一部の物品が収容部３１から取り出されて収容部３１内の一部の位置で物品の無を検出した場合の物品の移行を検出することが可能になる。
【００１８】
上記ロッカー装置１の利用手順の一例について説明する。物品の預け入れの際には、タッチパネル付き液晶表示器２２の画面に表示された未使用のロッカー部３を選択し、センタ装置２で指定された電話番号（液晶表示器２２に表示）に携帯電話機で電話をかけることで、該携帯電話機の電話番号が解錠用の認証番号（ＩＤ番号）として登録される。次いで、硬貨投入口２４に硬貨を投入すると、選択したロッカー部３のロック部３６が解錠されて扉３３が開成可能になる。次いで、扉３３を開けて収容部３１に物品を預け入れた後、扉３３を閉めることでロック部３６が施錠される。一方、物品の取り出しの際には、再度センタ装置２で指定された電話番号に携帯電話機で電話をかけることで、該携帯電話機の電話番号が、預け入れ時に解錠用の認証番号として登録された携帯電話機の電話番号と一致しているか否かを認証し、一致している場合には、物品を預け入れたロッカー部３のロック部３６が解錠され、該ロッカー部３からの物品の取り出しが可能となる。これにより、本実施の形態におけるロッカー装置１は、携帯電話機を鍵として用いて、ロック部３６の施錠および解錠が可能になる。なお、課金に対する決済は、硬貨投入による現金決済に限らず、クレジットカードやＩＣカードによる決済も可能とされている。
【００１９】
以下、上述したロッカー装置１の制御であって、特に扉３３の開放時の制御について図を参照して説明する。図３は本実施の形態におけるロッカー装置の扉開放時に係る制御系を示すブロック図である。
【００２０】
図３に示すようにロッカー装置１は、制御部１００を有している。制御部１００には、各ロッカー部３に設けた報知手段としての表示部３７、扉開閉検出手段３８、物品検出手段３９が接続してあり、さらに計時動作を行う計時手段１０１が接続してある。制御部１００は、ＲＡＭ、ＲＯＭなどの記憶部１０２に予め格納したプログラムやデータに従って、さらには扉開閉検出手段３８、物品検出手段３９、計時手段１０１から取得した情報に従って、報知手段３７を制御する。
【００２１】
なお、報知手段は、上述した表示部３７のようにＬＥＤ３７１，３７２の点灯や点滅によって報知を行うものの他、図には明示しないがブザーからのブザー音やスピーカからの音声等によって報知するものでもよい。
【００２２】
図４は扉開放時の処理を示すフローチャート、図５は扉開放時の処理を示すタイムチャートである。なお、図５では物品の預け入れ時を示している。
【００２３】
ロッカー装置１への物品の預け入れ（もしくは取り出し）の際、ロック部３６が解錠されると、扉３３が開成可能になる。扉３３が開いたとき（ステップＳ１：Ｙｅｓ）、制御部１００は、計時動作を開始させる（ステップＳ２）、その後、扉３３が開放状態のままで、収容部３１において物品の無から有または有から無への移行、もしくは物品の有の状態の移行がなく（ステップＳ３：Ｎｏ）、予め設定して記憶部１０２に格納してある設定時間が経過した場合（ステップＳ４：Ｙｅｓ）、制御部１００は、報知動作を行わせる（ステップＳ５）。
【００２４】
一方、扉３３が開放状態のままで、設定時間が経過する以前に（ステップＳ４：Ｎｏ）、収容部３１において物品の無から有または有から無への移行、もしくは物品の有の状態の移行があった場合（ステップＳ３：Ｙｅｓ）、制御部１００は、ステップＳ２に戻って計時動作を改めて開始させる。すなわち、図５に示す計時Ａ〜Ｄに相当する。その後、図５に示す計時Ｄにおいて、扉３３が開放状態のままで、収容部３１において物品の無から有または有から無への移行、もしくは物品の有の状態の移行がなく（ステップＳ３：Ｎｏ）、設定時間が経過した場合（ステップＳ４：Ｙｅｓ）、制御部１００は、報知動作を行わせる（ステップＳ５）。
【００２５】
なお、扉３３が閉塞された場合、制御部１００は、報知動作を停止させる。その後、予め設定された時間をおいてロック部３６が施錠されることになる。
【００２６】
このように、上述したロッカー装置１では、扉３３が開いたときに計時動作を開始させ、予め設定した設定時間が経過するまでに、扉３３が開放状態のままで、物品の無から有または有から無への移行、もしくは物品の有の状態の移行が検出されていない場合を、利用者が物品の預け入れや取り出しを行っていない状況であると把握して、報知動作によって開放状態にある扉３３の閉塞を促す。一方、所定時間が経過するまでに、扉３３が開放状態のままで、物品の無から有または有から無への移行、もしくは物品の有の状態の移行が検出された場合を、利用者が物品の預け入れや取り出しを行っている状況であると把握して、計時動作を改めて開始させることで扉３３の開放状態の報知動作の実行を遅らせる。この結果、ロッカー装置１の利用中の利用者に扉３３の閉塞を催促することがないため利用者に不快感を与える事態を防ぐ。
【図面の簡単な説明】
【００２７】
【図１】本実施の形態におけるロッカー装置の構成例を示す正面図である。
【図２】図１に示したロッカー部の一部構成を示す斜視図である。
【図３】本実施の形態におけるロッカー装置の扉開放時に係る制御系を示すブロック図である。
【図４】扉開放時の処理を示すフローチャートである。
【図５】扉開放時の処理を示すタイムチャートである。
【符号の説明】
【００２８】
１    ロッカー装置
３    ロッカー部
３１    収容部
３２    入出口
３３    扉
３３１    投光孔
３４    取手
３５    係合片
３６    ロック部
３６１    係合部材
３７    表示部（報知手段）
３７１，３７２    ＬＥＤ
３８    扉開閉検出手段
３８１    作動片
３９    物品検出手段
４    ロッカーユニット
４０    筐体
４１    棚板
１００    制御部
１０１    計時手段
１０２    記憶部
【図１】
2008115561.tif 000003
【図２】
2008115561.tif 000004
【図３】
2008115561.tif 000005
【図４】
2008115561.tif 000006
【図５】
2008115561.tif 000007